(57)【要約】      （修正有）【課題】各種ケーブルの敷設の際の保持に用い、ケーブルを確実に保持でき、かつ過度の屈曲を生じさせないケーブルの保持用具を提供する。【解決手段】ケーブル５の保持用具が線状部材１により形成され、所定長延び、かつ内部にケーブルが挿通可能な螺旋状ハンガー部２と、螺旋状ハンガー部の中央部に取り付けられた固定部６を有する保持部材７とを備え、螺旋状ハンガー部は、固定部をほぼ中心として一端側および他端側がほぼ同じ方向に湾曲し、かつ挿通されるケーブルの加重による弾性変形が可能であり、さらに螺旋状ハンガー部の全長をケーブルが挿通する状態では、ケーブルは螺旋状ハンガー部内を摺動不能であり、螺旋状ハンガー部の一端部および他端部を押し広げ、螺旋状ハンガー部の一端部および他端部が、挿通されたケーブルより離脱した状態では、ケーブルが螺旋状ハンガー部内を摺動可能とした。【選択図】図１
0003187900.tif 000002
【実用新案登録請求の範囲】
【請求項１】
ケーブルの吊り上げに用いられるケーブルの保持用具であって、
前記ケーブルの保持用具は、線状部材により形成され、所定長延び、かつ内部に前記ケーブルが挿通可能な螺旋状ハンガー部と、前記螺旋状ハンガー部の中央部に取り付けられた固定部を有する保持部材とを備え、
前記螺旋状ハンガー部は、前記固定部をほぼ中心として一端側および他端側がほぼ同じ方向に湾曲し、かつ、挿通される前記ケーブルの加重による弾性変形が可能であり、さらに、前記螺旋状ハンガー部の全長を前記ケーブルが挿通する状態では、前記ケーブルは、前記螺旋状ハンガー部内を摺動不能であり、前記螺旋状ハンガー部の一端部および他端部を押し広げ、前記螺旋状ハンガー部の一端部および他端部が、挿通された前記ケーブルより離脱した状態では、前記ケーブルは、前記螺旋状ハンガー部内を摺動可能であることを特徴とするケーブルの保持用具。
【請求項２】
前記螺旋状ハンガー部は、前記螺旋状ハンガー部を端部側より押し広げていくことにより、挿通された前記ケーブルより離脱可能である請求項１に記載のケーブルの保持用具。
【請求項３】
前記螺旋状ハンガー部は、金属製線状部材により形成され、隣り合う線状部材間が離間した緩やかなコイル体である請求項１または２に記載のケーブルの保持用具。
【請求項４】
前記螺旋状ハンガー部のピッチは、前記螺旋状ハンガー部の内径の３倍以上である請求項１ないし３のいずれかに記載のケーブルの保持用具。
【請求項５】
前記螺旋状ハンガー部の内径は、使用される前記ケーブルの外径とほぼ等しいもしくは若干大きいものである請求項１ないし４のいずれかに記載のケーブルの保持用具。
【請求項６】
前記螺旋状ハンガー部は、短いコイル体を左右に大きく引き延ばし、かつ、円弧状に湾曲させた形態となっている請求項１ないし５のいずれかに記載のケーブルの保持用具。
【請求項７】
前記螺旋状ハンガー部は、前記線状部材により螺旋状に形成され、前記螺旋状ハンガー部の中心軸に対する前記線状部材の捩れ角が４０度以上である請求項１ないし６のいずれかに記載のケーブルの保持用具。
【請求項８】
前記線状部材は、ばね性を有する金属鋼材線により形成されている請求項１ないし７のいずれかに記載のケーブルの保持用具。
【請求項９】
前記螺旋状ハンガー部は、前記線状部材の外面に被覆された合成樹脂層を備えている請求項１ないし８のいずれかに記載のケーブルの保持用具。
【請求項１０】
前記合成樹脂層は、前記線状部材の外面よりも高い摩擦抵抗を有する難滑性表面を備えている請求項９に記載のケーブルの保持用具。
【請求項１１】
前記螺旋状ハンガー部は、前記一端部および前記他端部に設けられ、端部押し広げ時に用いられる把持部を備えている請求項１ないし１０のいずれかに記載のケーブルの保持用具。
【請求項１２】
前記把持部は、前記線状部材の両端部に設けられたリング状部である請求項１１に記載のケーブルの保持用具。
【請求項１３】
前記保持部材は、前記固定部を形成する固定用金具と、前記固定用金具に連結され、前記螺旋状ハンガー部を吊り上げる吊り上げ部材とを備えている請求項１ないし１２のいずれかに記載のケーブルの保持用具。
【請求項１４】
前記吊り上げ部材は、前記固定用金具に連結するキャッチリングと、前記キャッチリングを吊り上げるスイベルジョイントと、前記スイベルジョイントに取り付けられる吊り上げロープや電柱に仮支持するための支持ロープを繋ぐ１又は複数のナスカンとを備えている請求項１３に記載のケーブルの保持用具。
【請求項１５】
ケーブルの吊り上げに用いられるケーブルの保持用具であって、
前記ケーブルの保持用具は、線状部材により形成され、所定長延び、かつ内部に前記ケーブルが挿通可能な螺旋状ハンガー部と、前記螺旋状ハンガー部の中央部に取り付けられた固定部を有する保持部材とを備え、
前記螺旋状ハンガー部は、金属製線状部材により形成され、隣り合う線状部材間が離間した緩やかなコイル体であり、前記固定部をほぼ中心として一端側および他端側がほぼ同じ方向に湾曲し、かつ、挿通される前記ケーブルの加重による弾性変形が可能であり、さらに、前記螺旋状ハンガー部の全長を前記ケーブルが挿通する状態では、前記ケーブルは、前記螺旋状ハンガー部内を摺動不能であり、前記螺旋状ハンガー部の一端部および他端部を押し広げ、前記螺旋状ハンガー部の一端部および他端部が、挿通された前記ケーブルより離脱した状態では、前記ケーブルは、前記螺旋状ハンガー部内を摺動可能であり、さらに、前記螺旋状ハンガー部は、前記螺旋状ハンガー部を端部側より押し広げていくことにより、挿通された前記ケーブルより離脱可能であることを特徴とするケーブルの保持用具。
【請求項１６】
前記螺旋状ハンガー部のピッチは、前記螺旋状ハンガー部の内径の３倍以上である請求項１５に記載のケーブルの保持用具。
【請求項１７】
前記螺旋状ハンガー部は、前記線状部材により螺旋状に形成され、前記螺旋状ハンガー部の中心軸に対する前記線状部材の捩れ角が４０度以上である請求項１５または１６に記載のケーブルの保持用具。
【請求項１８】
前記螺旋状ハンガー部は、前記線状部材の外面に被覆された合成樹脂層を備え、かつ、前記合成樹脂層は、前記線状部材の外面よりも高い摩擦抵抗を有する難滑性表面を備えている請求項１５ないし１７のいずれかに載のケーブルの保持用具。
【請求項１９】
前記螺旋状ハンガー部は、前記一端部および前記他端部に設けられ、端部押し広げ時に用いられる把持部を備えている請求項１５ないし１８のいずれかに記載のケーブルの保持用具。
【請求項２０】
前記保持部材は、前記固定部を形成する固定用金具と、前記固定用金具に連結され、前記螺旋状ハンガー部を吊り上げる吊り上げ部材とを備えている請求項１５ないし１９のいずれかに記載のケーブルの保持用具。
【考案の詳細な説明】
【技術分野】
【０００１】
本考案は、各種ケーブルの敷設の際の保持に用いられるケーブルの保持用具に関する。具体的には、架空配電線路の工事において、配電線路とは別に設ける電線路に使用するケーブル（具体的には、仮送電用ケーブル）の電柱の上方への吊り上げ、および吊り上げたケーブルの電柱への支持に用いられるケーブルの保持用具に関する。
【背景技術】
【０００２】
架空配電線路において、架空配電線の取替え、柱上変圧器の取替え等の工事は、需要家が停電状態にならないように送電を維持した状態にて行われる。このため、工事する電線路とは別に、並列に電線路を設けるいわゆる仮送電工法が一般的に用いられる。そして、仮送電工法では、仮送電するための仮送電用ケーブル（高圧バイパスケーブル）の敷設が必要となる。
また、仮送電工法において用いられる仮送電用ケーブルとしては、一般送電用ケーブルに比べて可撓性を有するケーブルが使用される。このため、仮送電用ケーブルを電柱の上方までクレーン等で吊り上げる際、吊り上げ方法、吊り上げ状況、仮送電用ケーブルの状態により、吊り上げ部において仮送電用ケーブルが過度に屈曲し、仮送電用ケーブルに損傷を与える場合があった。
【０００３】
また、吊り上げた仮送電用ケーブルをロープ等を使用して電柱に仮支持させる方法が用いられているが、ロープにより仮支持した部分において、仮送電用ケーブルに過度の屈曲が生じ、仮送電用ケーブルに損傷を与える場合があった。
さらに、仮送電工法で工事を行う場合、仮送電用ケーブルを電柱の上方まで吊り上げたり、電柱の上部に仮支持するため、ケーブルの保持用具はケーブルに確実に取り付られることが必要である。
【０００４】
従来より、ケーブル吊り上げ具からケーブルが脱落しないようにして、作業者が、誤って高所からケーブルを落下させる危険性を大幅に減少させるものとして、特開２００８−２９５１６８公報（特許文献１）がある。
この発明は変形自在な線状体からなるケーブル吊り上げ具であって、前記線状体によって輪形状に形成されたケーブル接続部と、前記ケーブル接続部から延出した第１分岐部及び第２分岐部とを設け、前記第１分岐部にはケーブル吊り上げ用の紐状体を貫通させ接続するための環状接続体を装着し、前記第２分岐部には、吊り上げたケーブルを所定位置に保持するために、固定用部材に対して連結固定するための連結体を装着したものが開示されている。
【０００５】
また、ケーブルを吊り上げる工具ではないが、特許第４５８４８５５号公報（特許文献２）には、光ケーブル、或いは、メタルケーブルにおいて、余長ケーブルを過度に屈曲が生じないように収納することができる余長ケーブル把持具が提案されている。
このケーブル余長把持システムにおける余長ケーブル把持具の構成は、図８〜図１１に示されているように、配線ケーブル支持用の支持線または電柱支持部材に固定するハンガーが備えられたケーブル支持プレートに、円形状または楕円形状に巻き丸めた余長部分を抱持して所定の地上高さを保って架空に保持するケーブル収納フックと、ケーブル接続余長を巻き取り半径３００ｍｍ以上で巻き込んだ余長部分を、前記ケーブル収納フックで抱持してケーブル支持プレートに支持するとともに、該余長部分の円周の二点を支持固定するケーブル支持アームを備えたものであり、前記余長ケーブル把持具にケーブル支持アームを設けて、余長部分を巻き付けた場合には、この余長部分は、最小曲率半径の３００ｍｍの寸法が容易に確保できて、ケーブル心線の曲げ劣化をなくすことができるものが開示されている。
【先行技術文献】
【特許文献】
【０００６】
【特許文献１】特開２００８−２９５１６８公報
【特許文献２】特許第４５８４８５５号公報
【考案の概要】
【考案が解決しようとする課題】
【０００７】
上記特許文献１の吊り上げ具では、吊り上げ時において、ケーブル接続部をケーブル外周に巻き付け、その輪の内側を前記ケーブル接続部の一端を挿通させることで、ケーブル接続部とケーブルが固定されるので、固定部においてケーブルに過度の屈曲が生じる可能性が高く、ケーブルに損傷を与える可能性が高い。さらに、ケーブル接続部による固定部のケーブルへの取り付け位置、又は、固定部からのケーブルの長さの調節をする場合、ケーブルが吊り上げ具から脱落しないように、吊り上げ具によりケーブルを強く締め付け固定し、脱落を防止するようになっているので、ケーブルを吊り上げ具からずらして調整することが難しいという問題もあった。
また、特許文献２は、余長ケーブルを過度に屈曲が生じないように収納することができるようになっているが、ケーブルが落下しないように防止するものではなく、ケーブルに引っ張り力が掛かると余丁部分が滑って繰り出すものであり、かつ、本考案のように重量のある仮送電用ケーブル等のケーブルに対応できるものではない。
【０００８】
本考案の目的は、上記問題点に鑑み、ケーブルにケーブルの保持用具を取り付ければ、ケーブルを上方に吊り上げたり、また、吊り上げたケーブルを仮支持する際に、ケーブルがケーブルの保持用具から脱落することがなく、また、上記作業においてケーブルに過度の屈曲が生じることなく、屈曲に起因する損傷を与えることがなく、さらに、ケーブルの保持用具のケーブルにおける配置位置をケーブルを摺動させることにより変更可能なケーブルの保持用具を提供するものである。
【課題を解決するための手段】
【０００９】
上記目的を達成するものは、以下のものである。
（１）ケーブルの吊り上げに用いられるケーブルの保持用具であって、
前記ケーブルの保持用具は、線状部材により形成され、所定長延び、かつ内部に前記ケーブルが挿通可能な螺旋状ハンガー部と、前記螺旋状ハンガー部の中央部に取り付けられた固定部を有する保持部材とを備え、
前記螺旋状ハンガー部は、前記固定部をほぼ中心として一端側および他端側がほぼ同じ方向に湾曲し、かつ、挿通される前記ケーブルの加重による弾性変形が可能であり、さらに、前記螺旋状ハンガー部の全長を前記ケーブルが挿通する状態では、前記ケーブルは、前記螺旋状ハンガー部内を摺動不能であり、前記螺旋状ハンガー部の一端部および他端部を押し広げ、前記螺旋状ハンガー部の一端部および他端部が、挿通された前記ケーブルより離脱した状態では、前記ケーブルは、前記螺旋状ハンガー部内を摺動可能であることを特徴とするケーブルの保持用具。
【００１０】
（２）前記螺旋状ハンガー部は、前記螺旋状ハンガー部を端部側より押し広げていくことにより、挿通された前記ケーブルより離脱可能である上記（１）に記載のケーブルの保持用具。
（３）前記螺旋状ハンガー部は、金属製線状部材により形成され、隣り合う線状部材間が離間した緩やかなコイル体である上記（１）または（２）に記載のケーブルの保持用具
（４）前記螺旋状ハンガー部のピッチは、前記螺旋状ハンガー部の内径の３倍以上である上記（１）ないし（３）のいずれかに記載のケーブルの保持用具
（５）前記螺旋状ハンガー部の内径は、使用される前記ケーブルの外径とほぼ等しいもしくは若干大きいものである上記（１）ないし（４）のいずれかに記載のケーブルの保持用具
（６）前記螺旋状ハンガー部は、短いコイル体を左右に大きく引き延ばし、かつ、円弧状に湾曲させた形態となっている上記（１）ないし（５）のいずれかに記載のケーブルの保持用具
【００１１】
（７）前記螺旋状ハンガー部は、前記線状部材により螺旋状に形成され、前記螺旋状ハンガー部の中心軸に対する前記線状部材の捩れ角が４０度以上である上記（１）ないし（６）のいずれかに記載のケーブルの保持用具
（８）前記線状部材は、ばね性を有する金属鋼材線により形成されている上記（１）ないし（７）のいずれかに記載のケーブルの保持用具
（９）前記螺旋状ハンガー部は、前記線状部材の外面に被覆された合成樹脂層を備えている上記（１）ないし（８）のいずれかに記載のケーブルの保持用具。
（１０）前記合成樹脂層は、前記線状部材の外面よりも高い摩擦抵抗を有する難滑性表面を備えている上記（９）に記載のケーブルの保持用具。
（１１）前記螺旋状ハンガー部は、前記一端部および前記他端部に設けられ、端部押し広げ時に用いられる把持部を備えている上記（１）ないし（１０）のいずれかに記載のケーブルの保持用具。
（１２）前記把持部は、前記線状部材の両端部に設けられたリング状部である上記（１１）に記載のケーブルの保持用具。
【００１２】
（１３）前記保持部材は、前記固定部を形成する固定用金具と、前記固定用金具に連結され、前記螺旋状ハンガー部を吊り上げる吊り上げ部材とを備えている上記（１）ないし（１２）のいずれかに記載のケーブルの保持用具。
（１４） 前記吊り上げ部材は、前記固定用金具に連結するキャッチリングと、前記キャッチリングを吊り上げるスイベルジョイントと、前記スイベルジョイントに取り付けられる吊り上げロープや電柱に仮支持するための支持ロープを繋ぐ１又は複数のナスカンとを備えている上記（１３）に記載のケーブルの保持用具。
【００１３】
（１５）  ケーブルの吊り上げに用いられるケーブルの保持用具であって、
前記ケーブルの保持用具は、線状部材により形成され、所定長延び、かつ内部に前記ケーブルが挿通可能な螺旋状ハンガー部と、前記螺旋状ハンガー部の中央部に取り付けられた固定部を有する保持部材とを備え、
前記螺旋状ハンガー部は、金属製線状部材により形成され、隣り合う線状部材間が離間した緩やかなコイル体であり、前記固定部をほぼ中心として一端側および他端側がほぼ同じ方向に湾曲し、かつ、挿通される前記ケーブルの加重による弾性変形が可能であり、さらに、前記螺旋状ハンガー部の全長を前記ケーブルが挿通する状態では、前記ケーブルは、前記螺旋状ハンガー部内を摺動不能であり、前記螺旋状ハンガー部の一端部および他端部を押し広げ、前記螺旋状ハンガー部の一端部および他端部が、挿通された前記ケーブルより離脱した状態では、前記ケーブルは、前記螺旋状ハンガー部内を摺動可能であり、さらに、前記螺旋状ハンガー部は、前記螺旋状ハンガー部を端部側より押し広げていくことにより、挿通された前記ケーブルより離脱可能であるケーブルの保持用具。
【００１４】
（１６）  前記螺旋状ハンガー部のピッチは、前記螺旋状ハンガー部の内径の３倍以上である上記（１５）に記載のケーブルの保持用具。
（１７）  前記螺旋状ハンガー部は、前記線状部材により螺旋状に形成され、前記螺旋状ハンガー部の中心軸に対する前記線状部材の捩れ角が４０度以上である上記（１５）または（１６）に記載のケーブルの保持用具。
（１８）  前記螺旋状ハンガー部は、前記線状部材の外面に被覆された合成樹脂層を備え、かつ、前記合成樹脂層は、前記線状部材の外面よりも高い摩擦抵抗を有する難滑性表面を備えている上記（１５）ないし（１７）のいずれかに記載のケーブルの保持用具。
（１９）  前記螺旋状ハンガー部は、前記一端部および前記他端部に設けられ、端部押し広げ時に用いられる把持部を備えている上記（１５）ないし（１８）のいずれかに記載のケーブルの保持用具。
（２０）  前記保持部材は、前記固定部を形成する固定用金具と、前記固定用金具に連結され、前記螺旋状ハンガー部を吊り上げる吊り上げ部材とを備えている上記（１５）ないし（１９）のいずれかに記載のケーブルの保持用具。
【考案の効果】
【００１５】
本考案のケーブルの保持用具は、螺旋状ハンガー部と保持部材とを備え、前記螺旋状ハンガー部は、前記固定部をほぼ中心として一端側および他端側がほぼ同じ方向に湾曲し、かつ、挿通される前記ケーブルの加重による弾性変形が可能であるので、前記ケーブルの保持用具を取り付けたケーブルは、保持部材を介して上方に吊り上げたり、また、吊り上げたケーブルを電柱等に仮支持する際に、前記ケーブルが円弧状に湾曲した形になり、過度に屈曲させられることがなく、前記ケーブルに劣化や損傷を与えることがない。
さらに、前記螺旋状ハンガー部の全長を前記ケーブルが挿通する状態では、前記ケーブルは、前記螺旋状ハンガー部内を摺動不能としたので、螺旋状ハンガー部から前記ケーブルが脱落することがなく確実に保持できる。また、前記螺旋状ハンガー部の一端部および他端部を押し広げ、前記螺旋状ハンガー部の一端部および他端部が、挿通された前記ケーブルより離脱した状態では、前記ケーブルは、前記螺旋状ハンガー部内を摺動可能としたので、ケーブルを摺動させ、前記ケーブルと前記ケーブルの保持用具との位置関係を自在に調節することができる。
【００１６】
本考案のケーブルの保持用具は、前記螺旋状ハンガー部を端部側より押し広げていこくとにより、前記ケーブルより離脱可能であるから、長尺のケーブルのいずれの位置に前記螺旋状ハンガー部が取り付けられていても、前記ケーブルと前記ケーブルの保持用具との位置関係を自在に調節でき、また、前記ケーブルから前記ケーブルの保持用具を取り外すことができる。
【００１７】
本考案のケーブルの保持用具は、前記螺旋状ハンガー部が、金属製線状部材により形成され、隣り合う線状部材間が離間した緩やかなコイル体であり、具体的には、前記螺旋状ハンガー部のピッチが、前記螺旋状ハンガー部の内径の３倍以上とピッチを広くしたので、前記ケーブルを前記螺旋状ハンガー部内に挿通した状態にすることができる。また、前記ケーブルを前記螺旋状ハンガー部と分離することができる。
【００１８】
また、前記螺旋状ハンガー部の内径は、使用される前記ケーブルの外径とほぼ等しいもの、もしくは、若干大きいものとしたので、前記螺旋状ハンガー部内に前記ケーブルを挿通した状態にすると、前記螺旋状ハンガー部に対し前記ケーブルが摺動することができず、前記ケーブルをケーブルの保持用具で吊り上げても前記螺旋状ハンガー部からケーブルが落下することがない。
【００１９】
本考案のケーブルの保持用具は、前記螺旋状ハンガー部が、短いコイル体を左右に大きく引き延ばし、かつ、円弧状に湾曲させた形態であること。また、前記螺旋状ハンガー部が前記線状部材により螺旋状に形成され、前記螺旋状ハンガー部の中心軸に対する前記線状部材の捩れ角が４０度以上であること。前記線状部材が、ばね性を有する金属鋼材線により形成されていることから、前記ケーブルから前記螺旋状ハンガー部を、又は、前記螺旋状ハンガー部から前記ケーブルを、容易に着脱することができる。
【００２０】
本考案のケーブルの保持用具は、前記螺旋状ハンガー部が前記線状部材の外面に被覆された合成樹脂層を備え、前記合成樹脂層は、前記線状部材の外面よりも高い摩擦抵抗を有する難滑性表面を備えているので、前記螺旋状ハンガー部内に挿通した状態にある前記ケーブルは、前記螺旋状ハンガー部から抜け落ちることがなく、確実に保持される。
【００２１】
本考案のケーブルの保持用具は、前記螺旋状ハンガー部の一端部および他端部に把持部を備えているので、前記ケーブルに前記螺旋状ハンガー部を取り付けたり、または、前記螺旋状ハンガー部に前記ケーブルを巻き付けるように取り付ける際に便利である。また、前記把持部はリング状部となっているので、指を嵌め入れたり、或いは、把持することにより前記ケーブルと前記螺旋状ハンガー部との着脱作業が容易にできる。
【００２２】
本考案のケーブルの保持用具は、前記保持部材が、前記螺旋状ハンガー部を吊り上げる吊り上げ部材を備えているので、前記ケーブルを電柱の上などに吊り上げる作業が容易にでき、さらに、前記吊り上げ部材は、固定用金具に連結するキャッチリングと、前記キャッチリングを吊り上げるスイベルジョイントと、前記スイベルジョイントに取り付けられる吊り上げロープや電柱に仮支持するための支持ロープを繋ぐ１又は複数のナスカンとを備えているので、吊り上げロープにより前記ケーブルを吊り上げたり、支持ロープにより吊り上げた状態で電柱に仮支持することが容易にできる。
【図面の簡単な説明】
【００２３】
【図１】図１は、本考案のケーブルの保持用具の正面図である。
【図２】図２は、本考案のケーブルの保持用具のハンガー部の平面図である。
【図３】図３は、本考案のケーブルの保持用具のハンガー部の正面図である。
【図４】図４は、本考案のケーブルの保持用具のハンガー部のＡ−Ａ断面図である。
【図５】図５は、本考案のケーブルの保持用具の使用状態を示す参考図である。
【図６】図６は、本考案のケーブルの保持用具の異なる使用状態を示す参考図である。
【考案を実施するための形態】
【００２４】
本考案のケーブルの保持用具について、図に示す実施例を用いて説明する。
図１〜図４は、ケーブルの保持用具の一実施例で、１は、ばね性を有する金属製線状部材であり、２は、１本の前記線状部材１を図４に示すように外径がｒの仮送電用ケーブル等のケーブル５を挿通可能な大きさの内径Ｒを存して螺旋状に形成した螺旋状ハンガー部である。
前記螺旋状ハンガー部２の内径Ｒは、使用される前記ケーブル５の外径ｒとほぼ等しいものとするか、或いは、若干大きいものとなっている。
６は、螺旋状に形成した前記螺旋状ハンガー部２の中央部に取り付けられた固定部であり、７は、前記固定部６を形成する固定金具６’と、前記固定金具６’に連結され前記螺旋状ハンガー部２を吊り上げる吊り上げ部材８とからなる保持部材である。
本考案のケーブルの保持用具は、前記螺旋状ハンガー部２と、前記保持部材７とから構成されている。
【００２５】
前記螺旋状ハンガー部２は、前記固定部６をほぼ中心として一端側および他端側を、ほぼ同じ方向に湾曲して形成したもので、この螺旋状ハンガー部２は、前記線状部材１を所定のピッチをもって円筒体に巻き付けるように螺旋状に形成し、その後、螺旋状に巻いた前記線状部材１を、長手方向に円弧を描くように曲げ加工したもの。或いは、前記線状部材１を螺旋状に巻くように形成しながら、同時に螺旋状に巻かれて行く前記線状部材１を円弧を描くように曲げ加工したものである。
【００２６】
上記のように形成した前記螺旋状ハンガー２は、挿通される前記ケーブル５の加重により弾性変形が可能としたので、前記螺旋状ハンガー２に前記ケーブル５を挿通してない無負荷のときは、前記螺旋状ハンガー２の正面から見た幅は約６００ｍｍとなっているが、前記螺旋状ハンガー部２の全長に前記ケーブル５を挿通した状態としたとき、前記螺旋状ハンガー２の幅は約４００ｍｍと内側に縮小し、挿通された前記ケーブル５は、図５に示すように、円弧状に湾曲し、しかも、前記螺旋状ハンガー２の両端から垂れ下がる部分は、円弧状に湾曲した前記螺旋状ハンガー２のほぼ接線方向になり、前記ケーブル５が過度に屈曲することがなく、前記螺旋状ハンガー２に保持された状態で、吊り上げられ電柱等に仮支持できるようになっている。
【００２７】
さらに、前記螺旋状ハンガー部２の全長を前記ケーブル５が挿通した状態では、前記ケーブル５は、前記螺旋状ハンガー部内を摺動することは不能であって、前記螺旋状ハンガー部２に装着される前記ケーブル５の荷重が不均等になったり、前記ケーブル５が一方に引っ張られても、前記螺旋状ハンガー部２から抜け落ちることはない。
【００２８】
そして、前記螺旋状ハンガー２は、弾性変形性（好ましくは、ばね性）を有する鋼材線、例えば、ばね用ステンレス鋼線、高強度ばね用鋼線、オイルテンパー線などが好適に使用されるので、前記螺旋状ハンガー２の端部側より押し広げていこくとができ、前記螺旋状ハンガー部２の一端部および他端部が、挿通された前記ケーブル５より離脱した状態となったとき、すなわち、図５に示す２点鎖線で示した前記ケーブル５の状態になったとき、前記螺旋状ハンガー部内を自在に摺動でき、前記螺旋状ハンガー部の２つないし３つの螺旋部を前記ケーブルが挿通した状態では、かなり力を加えないと前記螺旋状ハンガー部内を摺動できないようになっている。
そして、前記螺旋状ハンガー部２に挿通した状態にある前記ケーブル５を、上記したように前記螺旋状ハンガー２の両端部側より押し広げて行き、前記ケーブルを前記螺旋状ハンガー部の全部の螺旋部から離脱させることにより、前記ケーブルと前記螺旋状ハンガー部２とを取り外すことができるようになっている。
【００２９】
前記螺旋状ハンガー部２は、金属製線状部材により形成され、隣り合う線状部材間が離間した緩やかなコイル体で、具体的には、前記螺旋状ハンガー部２の螺旋のピッチＰが、前記螺旋状ハンガー部２の内径の３倍以上であり、約５倍の大きさが好ましく、また、前記線状部材１により螺旋状に形成され、前記螺旋状ハンガー部２の中心軸に対する前記線状部材１の捩れ角が４０度以上で、約６５度とするのが好ましく、このような条件で前記螺旋状ハンガー部２を形成すると、短いコイル体を左右に大きく引き延ばし、かつ、円弧状に湾曲させた形状となる。
【００３０】
前記螺旋状ハンガー部２の線状部材１の螺旋の内径Ｒを、前記ケーブル５の外径ｒ＝２．７ｃｍよりやや大きい内径Ｒ＝２．９ｃｍとし、螺旋のピッチＰは前記ケーブル５の外径ｒの約５倍の略１４ｃｍとし、さらに、前記螺旋部の内径Ｒに対し前記ピッチＰを大幅に大きくし、これに伴い螺旋の捩れ角θも約６５度と大きくした螺旋形状としたので、前記螺旋状ハンガー部２の螺旋と螺旋との間に、外径ｒの前記ケーブル５を嵌め入れるように前記螺旋状ハンガー部２を前記ケーブル５に取り付け、或いは、外径ｒの前記ケーブル５を前記螺旋状ハンガー部２に巻き付けるように、前記ケーブル５を前記螺旋状ハンガー部２の螺旋と螺旋の間に嵌め入れるように取り付けることができるようになっている。
また、前記螺旋状ハンガー部２を、螺旋部の内径Ｒに対し前記ピッチＰを大幅に大きくし、螺旋の捩れ角θも大きくした螺旋形状としたので、前記ケーブル５を前記螺旋状ハンガー部２の螺旋と螺旋の間から取り外すこともできるようになっている。
【００３１】
本考案のケーブルの保持用具の螺旋状ハンガー部２は、線状部材の外面に被覆された合成樹脂層を備えている。このため、線状部材の外面は、実質的に露出しないものとなっており、仮送電用ケーブル等のケーブル５の表面に損傷を与えないものとなっており、また、前記線状部材１のさび等を発生も防止する。
そして、合成樹脂層は、線状部材１の外面よりも高い摩擦抵抗を有する難滑性表面を備えていることが好ましい。このようにすることにより、前記ケーブル５との間に、大きな滑り摩擦力が働き、前記ケーブル５が一層前記螺旋状ハンガー部２から滑りを生じ難く、前記螺旋状ハンガー部２で前記ケーブル５を確実に保持でき、脱落することがない。
合成樹脂層の形成材料としては、ポリオレフィン（ポリエチレン、ポリプロピ）、塩化ビニル、オレフィン系エラストマー（ポリエチレンエラストマー、ポリプロピレンエラストマー）、アミド系エラストマー（ポリアミドエラストマー）、スチレン系エラストマー（例えば、スチレン−ブタジエン−スチレンコポリマー、スチレン−イソプレン−スチレンコポリマー、スチレン−エチレンブチレン−スチレンコポリマー）、ポリウレタン、ウレタン系エラストマーなどのエラストマーなどが使用できる。
【００３２】
また、前記螺旋状ハンガー部２の前記一端部および前記他端部には、前記一端部および前記他端部をリング状に曲げたリング状部が把持部３として設けられ、前記螺旋状ハンガー部２の端部を押し広げたり、前記ケーブル５に前記螺旋状ハンガー部２を着脱する際に、指を嵌め入れたり、把持することにより作業をし易くするために設けられている。
そして、前記螺旋状ハンガー部２の前記線状部材１の両端部が線状のまま突出していると、その先端で作業者に怪我をさせたり、前記ケーブル５に傷付けたりすることがあるが、前記把持部３はリング状になっているので、これを防止する役目もするものである。
【００３３】
本考案のケーブルの保持用具の前記保持部材７は、図１及び図５に示すように、前記固定部６を形成する固定用金具６’と、前記固定用金具６’に連結され、前記螺旋状ハンガー部２を吊り上げる吊り上げ部材８とからなり、前記固定金具６’は、前記螺旋状ハンガー部２のほぼ中央の螺旋部４に固定され、この固定用金具６’は、板状の金属板をＵ字状に形成し、背後の金属板を前面の金属板より上方に突出するように大きく形成し、その突出した部分に後述するキャッチリング９を嵌め入れる２つの取付孔１４が設けられている。
【００３４】
そして、前記固定用金具６’は、前記ハンガー部２の中央の螺旋部４に引っ掛けるように嵌め、ボルト１３とナットで締付け固定できるようになっている。
前記固定用金具６’を取り付ける螺旋部４は、前記ケーブル５を嵌め入れる螺旋部の内径Ｒより、螺旋部の上方への膨らみを大きくするようにその径を大きくしたものである。
上記径を大きくした螺旋部４に、前記固定用金具６’が取り付けられているので、前記ケーブル５を前記螺旋状ハンガー部２に着脱する際、前記固定用金具６’が邪魔にならず、また、前記ケーブル５をスライドし移動する際に、前記固定用金具６’に接触しないようになっている。
【００３５】
前記吊り上げ部材８は、図１及び図５に示すように、前記固定用金具６’に連結する楕円形のキャッチリング９と、前記キャッチリング９を吊り上げるスイベルジョイント１０と、前記スイベルジョイント１０に取り付けられる吊り上げロープ又は電柱に仮支持するための支持ロープ等を繋ぐナスカン１１とからなり、前記吊り上げ部材８の前記ナスカン１１は、図５に示すようにナスカン自体を支持ワイヤー１２に引っ掛け、前記螺旋状ハンガー部２を取付けた前記ケーブル５を吊り下げたり、前記ナスカン１１に前記螺旋状ハンガー部２を吊り上げるための吊り上げロープ（図示せず。）を繋ぎ、起重機で電柱の上部に前記ケーブル５を吊り上げたり、また、前記吊り上げたケーブル５を、前記ナスカン１１に電柱に仮支持するための支持ロープ（図示せず。）を繋ぎ、前記螺旋状ハンガー部２を取付けた前記ケーブル５を電柱に仮支持できるようにしたものである。
よって通常は、起重機などによる吊り上げ用の前記吊り上げ部材８と、電柱に仮支持するための仮支持用の前記吊り上げ部材８の２つが、前記固定用金具６’の２つの取付孔１４にそれぞれ結合されている。
【００３６】
また、図６に示すように、前記吊り上げ部材８のスイベルジョイント１０には、前記ケーブル５に取付けた前記螺旋状ハンガー部２を、３個同時に吊り上げることができるように、前記キャッチリング９が３個結合され、３相の配電線路の工事をする際に、同時に３本の前記ケーブル５を吊り上げて作業ができるようになっている。
【００３７】
本考案は上記構成としたので、前記螺旋状ハンガー部２は、弾性変形性を有する鋼材線が使用され、そして、前記螺旋状ハンガー部２は、固定部をほぼ中心として一端側および他端側がほぼ同じ方向に湾曲した形状、具体的には、円弧状となっており、かつ、上述したような弾性変形性を持たせたので、前記螺旋状ハンガー部２を取り付けた前記ケーブル５を吊り上げる際に、前記ケーブル５を円弧状の形で吊り上げることができ、また、前記ハンガー部の両端において前記ケーブルが垂れ下がるが、ほとんど屈曲することがなく、吊り上げ作業においてケーブルが過度に屈曲することがなく、ケーブルに劣化や損傷を与えることがない。
【００３８】
また、前記螺旋状ハンガー部２の線状部材１の螺旋の形状に加え、前記線状部材１の外面よりも高い摩擦抵抗を有する難滑性表面を備えたポリエチレン樹脂をコーティングしたので、前記ケーブル５との間に、大きな滑り摩擦力が働き、前記ケーブル５が一層前記螺旋状ハンガー部２から滑りを生じ難く、前記螺旋状ハンガー部２で前記ケーブル５を確実に保持でき、脱落することがない。
【００３９】
また、前記螺旋状ハンガー部２は、線状部材１の螺旋のピッチＰを広く、螺旋の捩れ角θを大きい、隣り合う線状部材間が離間した緩やかなコイル体であり、また、前記螺旋状ハンガー部２が、ばね性を有する金属鋼材線により形成され弾力性があり、前記螺旋状ハンガー部２の形状が円弧状に湾曲しているので、前記螺旋状ハンガー部２を前記ケーブル５に取り付け、又は逆に、前記螺旋状のハンガー部２に前記ケーブル５を巻き付けるようにして嵌め入れて取り付けることが容易にできる。    
【００４０】
そして、前記螺旋状ハンガー部２の一端部および他端部を押し広げ、前記螺旋状ハンガー部２の一端部および他端部を、挿通された前記ケーブル５より離脱した状態にすれば、前記ケーブル５は、前記螺旋状ハンガー部内をスライドさせることができ、ケーブル５に対する螺旋状ハンガー部の取り付け位置の変更、又は螺旋状ハンガー部２からのケーブルの長さの調節ができる。
また、前記螺旋状ハンガー部２と前記ケーブル５を離脱する場合は、前記螺旋状ハンガー部を端部側より押し広げていくことにより離脱でき、前記螺旋状ハンガー部２と前記仮送電用ケーブル５の着脱作業も容易にできる。
【００４１】
前記螺旋状ハンガー部２と前記仮送電用ケーブル５の着脱作業においては、前記螺旋状ハンガー部２の両端に把持部３が設けられているので、作業を行う際前記把持部３に指を掛けたり把持して作業を行うことができ、作業効率を高めることができる。
【００４２】
さらに、本考案は上記構成としたので、前記螺旋状ハンガー部２を前記ケーブル５に取り付け、前記固定用金具６’に吊り上げ部材８を結合し、前記ナスカン１１に吊り上げロープを繋ぎ起重機により電柱の上まで吊り上げ、他方のナスカン１１を支持ワイヤ１２に引っかけて前記ケーブル５を所定の位置まで吊り上げ固定して作業を行い、または、他方のナスカン１１に支持ロープを取り付け、支持ロープにより前記螺旋状ハンガー部２を取り付けた前記ケーブル５を、電柱に仮支持する作業が容易にできる。
【００４３】
また、前記吊り上げ部材のスイベルジョイント１０に、３個のキャッチリング９を取り付けることができるので、各キャッチリング９に前記固定用金具６’を介して前記螺旋状ハンガー部を３個同時に取付けることができ、３本の前記ケーブルを同時に吊り上げることができるので、３相の配電線路の工事をする際に効率よく作業を行うことができる。
【００４４】
さらに、前記螺旋状ハンガー部２は、前記固定部６をほぼ中心として一端側および他端側がほぼ同じ方向に湾曲した形状であり、弾力性もあることから、前記螺旋状ハンガー部２を前記ケーブル５に取り付けた状態で、長尺のケーブルを渦巻き状に丸めて、収納袋等に納めることができ、作業現場への持ち運び、及び、工事現場での収納袋からの取り出しが容易にでき便利である。
【符号の説明】
【００４５】
１    線状部材
２    ハンガー部
３    把持部
４    固定用金具を取り付ける螺旋部
５    ケーブル
６    固定部
６’  固定用金具
７    保持部材
８    吊り上げ部材
９    キャッチリング
１０  スイベルジョイント
１１  ナスカン
１２  支持ワイヤー
１３  ボルト
１４  取付孔
【図１】
0003187900.tif 000003
【図２】
0003187900.tif 000004
【図３】
0003187900.tif 000005
【図４】
0003187900.tif 000006
【図５】
0003187900.tif 000007
【図６】
0003187900.tif 000008